(57)【要約】      （修正有）【課題】携帯と収納に便利なカードタイプのデンタルフロスの構造を提供する。【解決手段】フラットカード部品及びデンタルフロスで構成する。デンタルフロスを該フラットカード部品の少なくとも片面に結合し、デンタルフロスの少なくとも一端は該フィルムに形成する穴を通って該フィルムの外に露出する。【選択図】図１
0003180353.tif 000002
【実用新案登録請求の範囲】
【請求項１】
フラットカード部品、第一デンタルフロス及びフィルムを含み、
該フィルムは該第一デンタルフロスを該フラットカード部品の少なくとも片面を覆って固定することを特徴とするカードタイプのデンタルフロスの構造。
【請求項２】
前記フィルムは更に第一穴を含み、該第一デンタルフロスの少なくとも一端は該フィルムの第一穴から該フィルムの外に露出することを特徴とする請求項１記載のカードタイプのデンタルフロスの構造。
【請求項３】
前記フラットカード部品は切断部を具有し、該フラットカード部品の縁に設置して第一デンタルフロスを切断することを特徴とする請求項１或いは請求項２記載のカードタイプのデンタルフロスの構造。
【請求項４】
前記切断部はノッチ形状であることを特徴とする請求項３記載のカードタイプのデンタルフロスの構造。
【請求項５】
本考案は更に第二デンタルフロスを含み、該フィルムは該第二デンタルフロスを該フラットカード部品の少なくとも片面を覆って固定し、且つ該フィルムは更に第二穴を含み、該第二デンタルフロスの少なくとも一端は該フィルムの第二穴から該フィルムの外に露出することを特徴とする請求項１記載のカードタイプのデンタルフロスの構造。
【請求項６】
本考案は更に増粘剤を含み、それによって第一デンタルフロスを該フラットカード部品の少なくとも片面に結合することを特徴とする請求項１記載のカードタイプのデンタルフロスの構造。
【請求項７】
前記第一デンタルフロスをフラットカード部品の片面に貼り付けることを特徴とする請求項１記載のカードタイプのデンタルフロスの構造。
【請求項８】
前記フラットカード部品及び該フィルムの少なくとも一つは透明の材質であることを特徴とする請求項１記載のカードタイプのデンタルフロスの構造。
【請求項９】
フラットカード部品及び第一デンタルフロスを含み、
該第一デンタルフロスをフラットカード部品の側面に粘着することを特徴とするカードタイプのデンタルフロスの構造。
【請求項１０】
本考案は更にフィルムを含み、該第一デンタルフロスを該フラットカード部品の少なくとも片面を覆って固定することを特徴とする請求項９記載のカードタイプのデンタルフロスの構造。
【請求項１１】
前記該フラットカード部品は切断部を具有し、該フラットカード部品の縁に設置して第一デンタルフロスを切断することを特徴とする請求項９或いは請求項１０記載のカードタイプのデンタルフロスの構造。
【請求項１２】
本考案は更に第二デンタルフロスを含むことを特徴とする請求項９記載のカードタイプのデンタルフロスの構造。
【請求項１３】
前記切断部はカッターであることを特徴とする請求項１１記載のカードタイプのデンタルフロスの構造。
【請求項１４】
フラットカード部品、デンタルフロスを含み、
該デンタルフロスを該フラットカード部品の少なくとも片面に結合することを特徴とするカードタイプのデンタルフロスの構造。
【考案の詳細な説明】
【技術分野】
【０００１】
本考案はデンタルフロスの構造に関し、特にカードタイプのデンタルフロスの構造に関する。
【背景技術】
【０００２】
歯医者のアドバイスとしては、食べ物を食べた後、直ちに歯磨きをするほか、補佐として比較的常用されている糸ようじやデンタルフロスを使用すると、虫歯の予防効果が明らかに高くなる。衛生面を考慮すると、ユーザーは通常、随時一本の糸ようじを携帯することはあまりなく、また、体積を考慮すると、体積が決して小さくないデンタルフロス或いは数本(時には百本以上)入りの糸ようじの箱を携帯する人が少ないことを鑑みて、携帯及び収納しやすいデンタルフロス関連の製品を案出する必要があった。  
【先行技術文献】
【特許文献】
【０００３】
【特許文献１】特許公表２０００−５１５０３７号公報
【考案の概要】
【考案が解決しようとする課題】
【０００４】
前記公知構造の欠点を解決するため、本考案はフラット形状のカード部品、デンタルフロスを含み、該デンタルフロスをフラットカード部品の片面に結合するカードタイプのデンタルフロスを提供することを主な課題とする。
【課題を解決するための手段】
【０００５】
上述の目的を解決するために、本考案はカードタイプのデンタルフロスの構造を提供するものである。本考案に含まれるのはフラットカード部品、デンタルフロス及び該デンタルフロスを該フラットカード部品の少なくとも片面を覆って固定するフィルムである。最良実施例として、該デンタルフロスの少なくとも一端を該フィルムにある穴(或いは溝)から露出する。    
【０００６】
本考案のカードタイプのデンタルフロスに含まれるのは、フラットカード部品及び該フラットカード部品の片面に粘着する少なくとも一本のデンタルフロスである。
【０００７】
該カードタイプのデンタルフロスはフラットカード形状であるため、形が類似するクレジットカードと一緒にユーザーの財布内に入れることができ、随時使用できる。
【考案の効果】
【０００８】
本考案はフラットカード形状であるため、形が類似するクレジットカードと一緒にユーザーの財布内に入れることができ、随時使用できる。また防塵、防菌の効果を持つフィルムで覆うこともできるため、衛生面も安心できる。
【図面の簡単な説明】
【０００９】
【図１】本考案のカードタイプのデンタルフロスの立体図である。
【図２】本考案のカードタイプのデンタルフロスの分解側視断面図である。
【図３】本考案のカードタイプのデンタルフロスの側視図である。
【図４】本考案のカードタイプのデンタルフロスの一実施例の立体図である。
【図５】本考案のカードタイプのデンタルフロスの一実施例の前視図である。
【図６】本考案のカードタイプのデンタルフロスの一実施例の分解側視断面図である。
【図７】本考案のカードタイプのデンタルフロスの一実施例の前視図である。
【図８】本考案のカードタイプのデンタルフロスの一実施例の前視図である。
【図９】本考案のカードタイプのデンタルフロスの一実施例の前視図である。
【図１０】本考案のカードタイプのデンタルフロスの一実施例の前視図である。
【考案を実施するための形態】
【００１０】
本考案に含まれるのはフラットカード部品、デンタルフロスであり、該デンタルフロスを該フラットカード部品の少なくとも片面に結合してカードタイプのデンタルフロスを形成することで、デンタルフロスを携帯及び収納の問題を解決する。
【００１１】
図１から図３に示すのは、本考案のカードタイプのデンタルフロス１の立体図、分解断面図及び側視図である。
【００１２】
該カードタイプのデンタルフロス１はフラットカード部品１０、第一デンタルフロス１２及びフィルム１４である。該フィルム１４は第一デンタルフロス１２を覆い、且つ該第一デンタルフロス１２を該フラットカード部品１０の少なくとも片面１００に固定する。該フィルム１４は同時に防塵、防菌の効果を持ち、ユーザーはデンタルフロスを該フィルム１４の外側に引っ張り出すだけで使用することができる。
【００１３】
本考案の一実施例は、該フィルム１４に第一穴１４０(或いは溝)を含み、該第一デンタルフロス１２の少なくとも一端１２０を該フィルム１４の第一穴１４０(或いは溝)から該フィルム１４の外に露出させる。該穴１４０の形成方法は、フィルム１４の如何なる片側をめくって形成する第一穴１４０、或いはフィルムを突き破って形成する第一穴１４０を含み、いずれも第一デンタルフロス１２の少なくとも一端１２０を該フィルム１４から外に露出して使用するのに適する。
【００１４】
使用する際、ユーザーは該第一デンタルフロス１２を該第一穴１４０から該フィルム１４の外に引っ張り出してから、ハサミ或いはカッターなどで切断する。
【００１５】
図４から図６に示すのは、本考案の一実施例である。該フラットカード部品１０に切断部１０２を具有し、該フラットカード部品１０の縁１０４に設置して第一デンタルフロス１２を切断する。該切断部１０２はノッチ形状とすることができ、該縁１０４の該フィルム１４の第一穴１４０に近い場所に位置することで、ユーザーが第一デンタルフロス１２を該第一穴１４０からフィルム１４の外に引っ張り出した後、切断するのに便利となる。
【００１６】
本考案の実施例では、該カードタイプのデンタルフロス１は更に増粘剤を含み(図に未掲載)、該第一デンタルフロス１２を該フラットカード部品１０の少なくとも片面に結合する際に用いる。該増粘剤を用いて、該第一デンタルフロス１２を軽く該フラットカード部品１０の表面に粘着することで、該第一デンタルフロス１２が固定され、容易に移動できず及び絡まるのを避ける効果を具有する。第一デンタルフロス１２を使用したい場合、少し力を入れて第一デンタルフロス１２を該フラットカード部品１０から離し、使用されずに引っ張られた第一デンタルフロス１２は、該フラットカード部品１０及びフィルム１４内から簡単に移動或いは外れることはない。  
【００１７】
本考案の実施例では、該フラットカード部品１０は金属、プラスティック或いは厚紙で構成する。本考案の一つの最良実施例として、該カードの長さ及び幅はそれぞれ８．５６及び５．３９８センチであり、ＩＳＯ国際規格（ｉｎｔｅｒｎａｔｉｏｎａｌ ｏｒｇａｎｉｚａｔｉｏｎ ｆｏｒ ｓｔａｎｄａｒｄｉｚａｔｉｏｎ, ＩＳＯ）７８１０及び７８１６のクレジットカードのスタンダードサイズに合致する。そうすることで、ユーザーは本考案のカードタイプのデンタルフロスをクレジットカードと一緒に財布の中に入れることができ、随時取って使用することができる。
【００１８】
本考案の実施例では、第一デンタルフロス１２をフラットカード部品１０の片面に貼り付けることで、ユーザーが該カードタイプのデンタルフロス１を財布の中に入れるのに便利である。
【００１９】
本考案の実施例では、該フラットカード部品１０及びフィルム１４の少なくとも一つを透明にすることで、ユーザーが第一デンタルフロス１２の残量をチェックするのに便利である。
【００２０】
図７に示すように、本考案の実施例では、該カードタイプのデンタルフロス１は更に第二デンタルフロス１３を含む。該フィルム１４は該第二デンタルフロス１３を該フラットカード部品１０の少なくとも片面を覆って固定し、該第二デンタルフロス１３の少なくとも一端もフィルム１４の外に露出する。該実施例では、該第二デンタルフロス１３は第一穴１４０、或いは該フィルム１４の第二穴から該フィルム１４の外に露出することができる。  
【００２１】
図７に示すように、本考案の実施例では、該カードタイプのデンタルフロス１は第一デンタルフロス１２、第二デンタルフロス１３或いは複数本のデンタルフロスを含む、同様に該フィルム１４はそれらのデンタルフロスを該フラットカード部品１０の少なくとも片面を覆って固定し、該デンタルフロスはそれぞれ少なくとも一端を該フィルム１４の外に露出することができる。このほか、該デンタルフロスはいずれもおよそ１０−１５センチの通常の使用可能の長さを具有する。そうすることで、別途切断部を設置する必要がない。更に該デンタルフロスの少なくとも一端はいずれも該第一穴１４０を通る、または別に開ける穴(溝)を通ってフィルム１４の外に引っ張り出される。
【００２２】
本実施例では、前記第一デンタルフロス１２と同じく、食用の増粘剤(図に未掲載)を使って、該第二デンタルフロス１３を該フラットカード部品１０の少なくとも片面に結合し、第二デンタルフロス１３が更に固定され、容易に移動できず及び絡まるのを避ける効果を具有する。第二デンタルフロス１３を使用したい場合、少しだけ力を入れて第二デンタルフロス１３をフラットカード部品１０から離させるだけでよい。
【００２３】
図８に示すように、本考案の実施例では、該フィルム１４は開合フィルム１４であり、該開合フィルム１４の一つの表面を該フラットカード部品１０の少なくとも一つの片面１００に固定し、該第一デンタルフロス１２を該開合フィルム１４の中に設置する。該開合フィルム１４は該第一穴１４０を具有し、該第一デンタルフロス１２の少なくとも片端１２０は第一穴１４０を通って該開合フィルム１４の外に露出する。
【００２４】
図９に示すのは、本考案の別タイプの使い捨てカードタイプのデンタルフロスを提供する。それに含まれるのはフラットカード部品及び少量(１或いは２本)の長さが約１０−１５センチのデンタルフロスを含む。それらのデンタルフロスは該フラットカード部品の片面に粘着する。本考案の実施例では、該使い捨てカードタイプのデンタルフロスは僅か１本或いは２本のデンタルフロス１４のみである場合、ユーザーは使用する際に、該デンタルフロスを該フラットカード部品１０から引っ張って離したのち、該フラットカード部品１０を破棄する。
【００２５】
図４から図６に示すのは、１種のカードタイプのデンタルフロス１であり、それに含まれるのはフラットカード部品１０及び第一デンタルフロス１２であり、該フラットカード部品１０の片面に第一デンタルフロス１２を粘着する。
【００２６】
粘着とは、最良実施例は食用の増粘剤を用いて、該第一デンタルフロス１２を軽く該フラットカード部品１０の表面に粘着することで、該第一デンタルフロス１２が固定され、容易に移動できず及び絡まるのを避ける効果を具有する。第一デンタルフロス１２を使用したい場合、適切に力を少し入れるだけで、該第一デンタルフロス１２を引っ張って該フラットカード部品１０から離すことができる。該第一デンタルフロス１２の引っ張られて剥がれた未使用のデンタルフロスは、随意に移動し、或いは該フラットカード部品１０及びフィルム１４内から出てしまうことがない。
【００２７】
図１から図３に示すように、本考案の実施例では、該カードタイプのデンタルフロス１は更にフィルム１４を含み、該第一デンタルフロス１２を該フラットカード部品１０の少なくとも片面を覆って固定する。該フィルム１４は同時に防塵防菌の衛生面のプロテクト作用を具有する。第一デンタルフロス１２の少なくとも一端を引っ張って離して使用することができる。最良実施例として、該フィルム１４は更に第一穴１４０を含み、該第一デンタルフロス１２の少なくとも一端は該フィルム１４の第一穴(溝)１４０を通って該フィルム１４の外に露出する。該穴１４０の形成方法は、フィルム１４の如何なる片側をめくって形成する第一穴１４０、或いはフィルムを突き破って形成する第一穴１４０を含み、いずれも第一デンタルフロス１２の少なくとも一端１２０を該フィルム１４から外に露出して使用するのに適する。
【００２８】
図４から図６に示すように、本考案の実施例では、該フラットカード部品１０に切断部１０２を具有し、該フラットカード部品１０の縁１０４に設置して第一デンタルフロス１２を切断する。最良実施例として、該切断部１０２は該縁１０４の該フィルム１４の第一穴１４０に近い場所に位置する。本実施例では、該切断部１０２はノッチ形状とすることができる。
【００２９】
図８に示すように、本考案の実施例では、該カードタイプのデンタルフロスは別途第二デンタルフロス１３を含み、該フィルム１４は第二デンタルフロス１３を該フラットカード部品１０の少なくとも片面を覆って固定する。その中、該フィルム１４は更に第二穴１４２を含み、該第二デンタルフロス１３の少なくとも一端は該フィルム１４の第二穴１４２から該フィルム１４の外に露出する。
【００３０】
前記実施例の食用増粘剤はペクチン、澱粉増粘剤、多糖類、食用植物パルプ剤、食用増粘剤などの如何なる一種類を含み、該増粘剤は単独或いは同時にフラットカード部品１０の表面に塗布、或いは該第一デンタルフロス１２或いは該第二デンタルフロス１３、或いはその他の複数のデンタルフロスに塗布することで、フラットカード部品１０とデンタルフロスを結合する。
【００３１】
前記実施例の切断部１０２はフラットカード部品１０本体のノッチ形状以外に、前記ノッチ形状は例えばノコギリ状のものにすることができ、或いはノッチ部分に金属或いはプラスティック材質のものを結合し、ノッチ形状のカッター２を具有する(図１０を参照)、或いは切断部１０２に刃を直接該フラットカード部品１０の縁に結合する。
【００３２】
本考案のカードタイプのデンタルフロスはフラットカード部品を具有するため、形状の類似するクレジットカードと共にユーザーの財布の中に入れることができるため、ユーザーが随時取って使用することができる。よって、本考案のカードタイプのデンタルフロスは携帯収納しやすく、全体的に斬新でクリエイティブな現代感を具有する。
【００３３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３４】
１  カードタイプのデンタルフロス
１０  フラットカード部品
１２  第一デンタルフロス
１３  第一デンタルフロス
１４  フィルム
１００  片面
１０２  切断部
１０３  ノッチ
１０４  端面
１０２  一端
１４０  第一穴
１４２  第二穴
２  刃
【図１】
0003180353.tif 000003
【図２】
0003180353.tif 000004
【図３】
0003180353.tif 000005
【図４】
0003180353.tif 000006
【図５】
0003180353.tif 000007
【図６】
0003180353.tif 000008
【図７】
0003180353.tif 000009
【図８】
0003180353.tif 000010
【図９】
0003180353.tif 000011
【図１０】
0003180353.tif 000012